(57)【特許請求の範囲】
【請求項１】
内容物が収容される容器本体の口部に装着されると共に、容器軸に交差するスライド軸に沿って延在するスライド孔部、前記スライド孔部と前記容器本体内とに連通するストック孔部、及び前記ストック孔部を通過した前記容器本体内の内容物が取り出される取出孔部が形成されたキャップ本体と、
前記スライド孔部内において前記スライド軸方向にスライド移動自在に嵌合されると共に、前記ストック孔部を通過した前記容器本体内の内容物がストックされるストック室を有するスライド部材と、
前記キャップ本体に着脱自在に装着され、前記取出孔部を開閉する蓋部材と、
を備え、
前記スライド部材が、前記スライド孔部内において、前記ストック室と前記ストック孔部とが連通されかつ前記ストック室と前記取出孔部との連通が遮断されるストック位置と、前記ストック室と前記取出孔部とが連通されかつ前記ストック室と前記ストック孔部との連通が遮断される取出位置と、の間をスライド移動自在に嵌合された計量キャップであって、
前記蓋部材が、前記取出位置に位置する前記スライド部材の前記ストック室と前記取出孔部とに一体に着脱自在に嵌合された栓部を有することを特徴とする計量キャップ。
【請求項２】
前記取出孔部が、前記ストック孔部よりも前記スライド軸方向に沿う前記キャップ本体の内側に形成されていることを特徴とする請求項１に記載の計量キャップ。
【請求項３】
前記取出孔部が、前記ストック孔部よりも前記スライド軸方向に沿う前記キャップ本体の外側に形成されていることを特徴とする請求項１に記載の計量キャップ。
【発明の詳細な説明】
【技術分野】
【０００１】
本発明は、計量キャップに関する。
【背景技術】
【０００２】
従来から、例えば容器本体内に収容されている内容物を計量して取り出すための計量キャップが知られている。このような計量キャップとして、内容物が収容される容器本体の口部に装着されると共に、容器軸に交差するスライド軸に沿って延在するスライド孔部、スライド孔部と容器本体内とに連通するストック孔部、及びストック孔部を通過した容器本体内の内容物が取り出される取出孔部が形成されたキャップ本体と、スライド孔部内においてスライド軸方向にスライド移動自在に嵌合されると共に、ストック孔部を通過した容器本体内の内容物がストックされるストック室を有するスライド部材と、キャップ本体に着脱自在に装着され、取出孔部を開閉する蓋部材と、を備えるものが提案されている（例えば、特許文献１参照）。
【０００３】
この計量キャップでは、スライド部材が、スライド孔部内において、ストック室とストック孔部とが連通されかつストック室と取出孔部との連通が遮断されるストック位置と、ストック室と取出孔部とが連通されかつストック室とストック孔部との連通が遮断される取出位置と、の間をスライド移動自在に嵌合されている。そして、スライド部材がストック位置にある状態で計量キャップを装着した容器本体を倒立姿勢にすることによって、ストック孔部を通ってストック室内に所定量の内容物が収容され、その後、スライド部材を取出位置までスライド移動させることによって、取出孔部を通ってストック室内の内容物が外部に排出される。
【先行技術文献】
【特許文献】
【０００４】
【特許文献１】特開２０１１−２５１６９０号公報
【発明の概要】
【発明が解決しようとする課題】
【０００５】
しかしながら、上記従来の計量キャップでは、スライド部材に対して不意に加えられた外力によって、内容物が排出されることに対して改善の余地があった。
【０００６】
本発明は、前述の課題に鑑みてなされたもので、不意に加えられた外力によって内容物が排出されることを防止できる計量キャップを提供することを目的とする。
【課題を解決するための手段】
【０００７】
本発明は、上記のような課題を解決するために以下のような手段を採用した。すなわち、本発明の計量キャップは、内容物が収容される容器本体の口部に装着されると共に、容器軸に交差するスライド軸に沿って延在するスライド孔部、前記スライド孔部と前記容器本体内とに連通するストック孔部、及び前記ストック孔部を通過した前記容器本体内の内容物が取り出される取出孔部が形成されたキャップ本体と、前記スライド孔部内において前記スライド軸方向にスライド移動自在に嵌合されると共に、前記ストック孔部を通過した前記容器本体内の内容物がストックされるストック室を有するスライド部材と、前記キャップ本体に着脱自在に装着され、前記取出孔部を開閉する蓋部材と、を備え、前記スライド部材が、前記スライド孔部内において、前記ストック室と前記ストック孔部とが連通されかつ前記ストック室と前記取出孔部との連通が遮断されるストック位置と、前記ストック室と前記取出孔部とが連通されかつ前記ストック室と前記ストック孔部との連通が遮断される取出位置と、の間をスライド移動自在に嵌合された計量キャップであって、前記蓋部材が、前記取出位置に位置する前記スライド部材の前記ストック室と前記取出孔部とに一体に着脱自在に嵌合された栓部を有することを特徴とする。
【０００８】
この発明では、栓部がストック室と取出孔部とに一体に嵌合されており、スライド部材が取出位置からスライド軸に沿ってスライド移動することが規制されているので、スライド部材に対して不意の外力が加わっても、この外力によってスライド部材がスライド移動できず、内容物が排出されることを防止できる。
すなわち、例えば流通段階や待機状態などにおいてスライド部材に外力が不意に加わり、スライド部材がスライド軸に沿ってスライド移動しようとしても、蓋部材をキャップ本体から取り外さなければ、栓部によってスライド部材がストック位置と取出位置との間でスライド移動できない。これにより、内容物が排出されない。一方、内容物を取り出す場合には、蓋部材をキャップ本体から取り外すと、スライド部材がスライド軸に沿って取出位置からストック位置に向けてスライド移動することができる。これにより、ストック孔部を通してストック室内に内容物を収容することや、取出孔部を通してストック室内に収容されている内容物を排出させることができる。
したがって、計量キャップに不意に加えられた外力によって内容物が排出されることを防止できる。
【０００９】
また、本発明の計量キャップでは、前記取出孔部が、前記ストック孔部よりも前記スライド軸方向に沿う前記キャップ本体の内側に形成されてもよい。
この場合では、蓋部材をキャップ本体に取り付けた状態でスライド部材がスライド軸方向に沿ってキャップ本体の内側に押し込まれているので、蓋部材を取り付けた状態においてキャップ本体からスライド軸方向の外側へのスライド部材の突出量を低減することができる。
【００１０】
また、本発明の計量キャップでは、前記取出孔部が、前記ストック孔部よりも前記スライド軸方向に沿う前記キャップ本体の外側に形成されてもよい。
この場合では、蓋部材をキャップ本体に取り付けた状態でスライド部材がスライド軸方向に沿ってキャップ本体の外側に突出しているので、蓋部材を取り外した後におけるスライド部材のキャップ本体の内側への押し込み操作が容易になる。
【発明の効果】
【００１１】
この発明にかかる計量キャップによれば、ストック室と取出孔部とに一体に嵌合された栓部によって、スライド部材が取出位置からスライド移動できないので、スライド部材に不意に外力が加えられても、この外力によって内容物が排出されることを防止できる。
【図面の簡単な説明】
【００１２】
【図１】本発明の第１実施形態における計量キャップを示す軸方向断面図である。
【図２】蓋部材を取り除いた状態における図１のＡ−Ａ矢視断面図である。
【図３】図１の蓋部材を示す軸方向断面図である。
【図４】図３のＢ−Ｂ矢視部分断面図である。
【図５】図１の蓋部材を示す下面図である。
【図６】図１の計量キャップの使用方法を説明する説明図である。
【図７】同じく、図１の計量キャップの使用方法を説明する説明図である。
【図８】本発明の第２実施形態における計量キャップを示す軸方向断面図である。
【発明を実施するための形態】
【００１３】
以下、本発明における計量キャップの第１実施形態を、図面に基づいて説明する。なお、以下の説明に用いる各図面では、各部材を認識可能な大きさとするために縮尺を適宜変更している。
【００１４】
本実施形態における計量キャップ１は、図１に示すように、内容物が収容される有底円筒状の容器本体２の円筒状の口部３に装着される筒状のキャップ本体４と、キャップ本体４内にスライド移動自在に配設されたスライド部材５と、キャップ本体４に着脱自在に装着される有頂筒状の蓋部材６と、スライド部材５をその移動方向に付勢する付勢バネ７と、を備える。
【００１５】
ここで、容器本体２及び口部３は、それぞれの中心軸線が共通軸上に位置した状態で配設されている。以下、この共通軸を容器軸Ｏと称し、図１において容器軸Ｏに沿って蓋部材６側を上方、その反対側を下方とする。また、容器軸Ｏに直交する方向を径方向と称し、容器軸Ｏ回りに周回する方向を周方向と称する。さらに、本実施形態では、容器軸Ｏに直交するスライド部材５の移動方向（図１における左右方向）をスライド軸Ｏ’と称し、この図１においてスライド軸Ｏ’に沿ってスライド部材５がキャップ本体４の内側から突出する方向（図１における右側）を後方、その反対側（図１における左側）を前方とする。また、容器軸Ｏ及びスライド軸Ｏ’に直交する方向を左右方向と称する。
【００１６】
キャップ本体４は、図１及び図２に示すように、容器本体２の口部３に着脱自在に螺着される有頂円筒状の装着筒部１１と、装着筒部１１上に配設された角筒部１２と、を有する。
装着筒部１１は、平面視で円板状の天壁部１３と、天壁部１３の外周縁から下方に向けて突設された円筒状の周壁部１４と、を有する。装着筒部１１は、口部３に螺着されているが、着脱自在でなくてもよく、螺着以外の他の方法により装着されてもよい。
天壁部１３には、容器本体２内と角筒部１２内とに連通するストック孔部１３Ａが形成されている。ストック孔部１３Ａは、平面視で左右方向に長い矩形状をなしており、天壁部１３において容器軸Ｏよりも後方に形成されている。
【００１７】
角筒部１２は、スライド軸Ｏ’に沿って延在し、後方に向けて開口すると共に前端が閉塞された矩形筒状をなしている。角筒部１２は、天壁部１３の前端縁から上方に向けて立設された前壁部１５と、天壁部１３から上方に向けて立設された一対の側壁部１６、１７と、前壁部１５及び一対の側壁部１６、１７それぞれの上端縁を接続する上壁部１８と、を有する。なお、角筒部１２の下壁部は、装着筒部１１の天壁部１３によって形成されている。これら天壁部１３、前壁部１５、一対の側壁部１６、１７及び上壁部１８によって、スライド軸Ｏ’に沿って延在すると共に後方に向けて開口するスライド孔部１２Ａを画成する。
【００１８】
前壁部１５は、天壁部１３の外周縁に沿う湾曲板状をなしている。また、前壁部１５には、付勢バネ７の前端部が外装される円筒状の第１軸筒部１５Ａが後方に向けて突設されている。
側壁部１６、１７の前後方向中央部には、図２に示すように、径方向内側に向けて第１係合突部１６Ａ、１７Ａが各別に突設されている。また、側壁部１６、１７の前後方向中央部には、左右方向から見て係合突部１６Ａ、１７Ａの前端及び上下両端を囲むコ字状をなすと共にスライド孔部１２Ａ内に連通する切欠部１６Ｂ、１７Ｂが各別に形成されている。これにより、係合突部１６Ａ、１７Ａは、径方向で弾性変位可能となる。
【００１９】
上壁部１８には、図１及び図２に示すように、ストック孔部１３Ａを通過した容器本体２内の内容物が取り出される取出孔部１８Ａが形成されている。取出孔部１８Ａは、平面視で左右方向に長い矩形状をなしており、平面視でストック孔部１３Ａよりも前方に形成されている。また、上壁部１８の取出孔部１８Ａの開口縁部には、図１に示すように、取出孔部１８Ａの全周にわたって矩形筒状の取出筒部１８Ｂが上方に向けて立設されている。さらに、上壁部１８の外周縁部には、平面視で前後方向に長い長円筒状の取付筒部１８Ｃが全周にわたって上方に向けて立設されている。
【００２０】
スライド部材５は、図１及び図２に示すように、角筒部１２のスライド孔部１２Ａ内で前後方向にスライド移動自在に配設されており、スライド軸Ｏ’に沿って延在する矩形筒状のスライド本体部２１と、スライド本体部２１とでストック孔部１３Ａを通過した容器本体２内の内容物がストックされるストック室５Ａを区画する一対の仕切板部２２、２３と、スライド本体部２１の後端開口部を閉塞する閉塞板部２４と、を有する。
スライド本体部２１は、平面視で矩形板状の底板部２５と、底板部２５の左右両端部から上方に向けて各別に立設された一対の側板部２６、２７と、一対の側板部２６、２７それぞれの上端縁を接続する天板部２８と、を有する。
【００２１】
底板部２５は、キャップ本体４の天壁部１３に摺接する。また、底板部２５の前端部には、スライド本体部２１の外部とスライド本体部２１内のストック室５Ａとを連通する下面開口部２５Ａが形成されている。下面開口部２５Ａは、平面視で左右方向に長い矩形状をなしており、装着筒部１１の天壁部１３によって閉塞されている。そのため、ストック室５Ａは、下面開口部２５Ａを介してストック孔部１３Ａと連通していない。一方、スライド部材５を後方にスライド移動させると、下面開口部２５Ａは、平面視でストック孔部１３Ａと重なり、ストック室５Ａは、ストック孔部１３Ａを介して容器本体２内と連通する。このように、スライド部材５の下面開口部２５Ａを介してストック室５Ａがストック孔部１３Ａと連通する位置をストック位置と称する。
【００２２】
側板部２６、２７は、図２に示すように、キャップ本体４の側壁部１６、１７に各別に摺接する。側板部２６には、側壁部１６の第１係合突部１６Ａと係合可能な第２係合突部２６Ａと、前後方向に延在する一対の摺接突部２６Ｂと、が突設されている。第２係合突部２６Ａは、側板部２６の前端部に配設されており、上下方向に延在する。なお、第２係合突部２６Ａの上下両端は、側板部２６の上下両縁から離間している。一対の摺接突部２６Ｂは、第２係合突部２６Ａの上下両端から後方に向けて各別に延設されている。同様に、側板部２７には、側壁部１７の第１係合突部１７Ａと係合可能な第２係合突部２７Ａと、前後方向に延在する一対の摺接突部２７Ｂと、が突設されている。
これら第２係合突部２６Ａ、２７Ａは、第１係合突部１６Ａ、１７Ａと係合することにより、スライド部材５がストック位置よりも後方に移動することを規制する。
【００２３】
天板部２８は、図１及び図２に示すように、キャップ本体４の上壁部１８に摺接しており、天板部２８の前端部には、底板部２５と同様に、スライド本体部２１の外部とスライド本体部２１内のストック室５Ａとを連通する上面開口部２８Ａが形成されている。上面開口部２８Ａは、下面開口部２５Ａと同様に、平面視で左右方向に長い矩形状をなしており、平面視で取出孔部１８Ａと重なっている。このように、ストック室５Ａがスライド部材５の上面開口部２８Ａを介して取出孔部１８Ａと連通する位置を取出位置と称する。
【００２４】
仕切板部２２、２３は、矩形板状をなしており、ストック室５Ａの前端及び後端それぞれを区画している。また、前側の仕切板部２２には、付勢バネ７の後端部が内装される第２軸筒部２２Ａが前方に向けて突設されている。さらに仕切板部２２の上端部には、後方かつ上方に向けて突条部２２Ｂが突設されている。突条部２２Ｂは、スライド部材５がスライド移動しているときに、ストック室５Ａが下面開口部２５Ａを介してストック孔部１３Ａと連通している状態で上面開口部２８Ａを介して取出孔部１８Ａと連通しないようにしている。なお、ストック室５Ａがストック孔部１３Ａ及び取出孔部１８Ａと同時に連通することを防止できれば、突条部２２Ｂを設けなくてもよい。
閉塞板部２４は、前壁部１５と同様に湾曲板状をなしており、スライド本体部２１の後端部に嵌め込まれている。
【００２５】
蓋部材６は、図１及び図３から図５に示すように、キャップ本体４を上方から覆う有頂筒状をなしている。蓋部材６は、キャップ本体４を上方から覆う頂壁部３１と、頂壁部３１から下方に突設された栓部３２と、栓部３２よりも径方向外方において頂壁部３１から下方に突設された嵌合筒部３３と、を有する。
頂壁部３１は、平面視で前後方向に長い長円板状をなしており、キャップ本体４の上壁部１８を上方から覆っている。
【００２６】
栓部３２は、平面視で左右方向に長い有底矩形筒状をなしており、ストック室５Ａと取出孔部１８Ａとに一体に着脱自在に嵌合されている。栓部３２は、取出筒部１８Ｂに嵌合される上筒部３４と、上筒部３４の下端に連設されると共に、上面開口部２８Ａに挿通されて仕切板部２２の突条部２２Ｂと仕切板部２３との間に嵌合される下筒部３５と、を有する。
このように、栓部３２は、スライド部材５が前後方向にスライド移動することを規制する。
嵌合筒部３３は、平面視で前後方向に長い長円状をなしており、取付筒部１８Ｃと嵌合している。
【００２７】
付勢バネ７は、角筒部１２の前壁部１５とスライド本体部２１の仕切板部２２との間に配設されており、スライド部材５を後方に付勢している。なお、コイルバネで形成された付勢バネ７に替えて、断面矩形状の棒体を前後方向で互い違いに湾曲されることによって平面視で蛇腹状に形成されたバネなど、スライド部材５を後方に向けて付勢できれば、他の付勢手段を用いてもよい。
【００２８】
次に、以上のような構成の計量キャップ１の使用方法について説明する。
まず、図１に示すように、蓋部材６がキャップ本体４に装着された状態では、栓部３２がストック室５Ａと取出孔部１８Ａとに一体に着脱自在に嵌合されているので、取出位置にあるスライド部材５が前後方向にスライド移動することが規制される。そのため、蓋部材６をキャップ本体４に装着した状態では、容器本体２内の内容物が排出されない。
【００２９】
容器本体２内の内容物を排出する際には、図６に示すように、最初に蓋部材６をキャップ本体４から取り外す。蓋部材６を取り外すことにより、栓部３２によるスライド部材５のスライド移動の規制が解除される。そして、付勢バネ７がスライド部材５を後方に付勢しているので、スライド部材５は、ストック位置まで後方にスライド移動する。ここで、側壁部１６、１７の第１係合突部１６Ａ、１７Ａと側板部２６、２７の第２係合突部２６Ａ、２７Ａとが係合することにより、付勢バネ７によって後方に付勢されるスライド部材５がストック位置を越えて後方にスライド移動されることが防止される。
そして、容器本体２を把持した状態で計量キャップ１が装着された容器本体２を上下反転させ、計量キャップ１が下方を向く倒立姿勢とする。これにより、容器本体２内に収容された内容物がストック孔部１３Ａを通って容器本体２から流出し、下面開口部２５Ａを通ってストック室５Ａ内に導かれる。そして、容器本体２内の内容物がストック室５Ａ内にストックされる。
【００３０】
ストック室５Ａに所定量の内容物をストックしたら、スライド部材５を角筒部１２内に向けて前方に押し込む。スライド部材５を押し込むと、スライド部材５は、前方にスライド移動する。スライド部材５が取出位置に向けてスライド移動すると、スライド部材５の下面開口部２５Ａがキャップ本体４のストック孔部１３Ａに対して前後方向でずらされ、スライド部材５の上面開口部２８Ａ及び下面開口部２５Ａが角筒部１２によって閉塞される。これにより、ストック室５Ａとスライド部材５の外部との連通が遮断され、ストック室５Ａ内から内容物が外部に開放されること及びストック室５Ａ内に内容物がストックされることを防止し、ストック室５Ａに所定量の内容物が収容される。
【００３１】
ここで、突条部２２Ｂが設けられているので、ストック室５Ａが下面開口部２５Ａを介してストック孔部１３Ａと連通している状態で上面開口部２８Ａを介して取出孔部１８Ａと連通することが防止され、下面開口部２５Ａが完全に閉塞される前に上面開口部２８Ａが開放されてストック室５Ａ内に収容されている内容物が取出孔部１８Ａを介して排出されることを防止している。これにより、ストック室５Ａに所定量の内容物を収容させることができ、内容物の計量が正確になる。
【００３２】
スライド部材５を取出位置に向けてさらに押し込んでスライド部材５を取出位置に位置付けると、図７に示すように、キャップ本体４の取出孔部１８Ａとスライド部材５の上面開口部２８Ａとが前後方向で位置合わせされ、取出孔部１８Ａと上面開口部２８Ａとが平面視で重なる。これにより、ストック室５Ａが上面開口部２８Ａ及び取出孔部１８Ａを介してキャップ本体４の外部と連通する。そのため、ストック室５Ａ内の内容物は、上面開口部２８Ａ及び取出孔部１８Ａを介して取出筒部１８Ｂ内を通り、キャップ本体４の外部に排出される。
【００３３】
ストック室５Ａ内の内容物を排出した後、スライド部材５の押圧を解除する。スライド部材５は、付勢バネ７の復元変形によって取出位置からストック位置に向けて後方にスライド移動される。
以上のようにして、容器本体２内に収容されている内容物を計量して取り出す。
【００３４】
以上のような構成の計量キャップ１によれば、栓部３２がストック室５Ａと取出孔部１８Ａとに一体に嵌合されており、スライド部材５が取出位置から前後方向にスライド移動することを規制するので、容器本体２内の内容物が不意の外力によって排出されることを防止できる。
また、蓋部材６をキャップ本体４に取り付けた状態でスライド部材５が前方に押し込まれているので、例えば流通段階や待機状態などにおいてキャップ本体４に対するスライド部材５の後方への突出量を低減することができる。
【００３５】
次に、本発明による計量キャップの第２実施形態を、図面に基づいて説明する。なお、ここで説明する実施形態は、その基本的構成が上述した第１実施形態と同様であり、上述の第１の実施形態に別の要素を付加したものである。したがって、図８においては、図１から図７と同一の構成要素に同一符号を付し、その説明を省略する。
【００３６】
本実施形態における計量キャップ１００では、図７に示すように、ストック位置がスライド位置よりも前方に位置付けられている。すなわち、キャップ本体１０１の装着筒部１０２の天壁部１０３には、ストック孔部１０３Ａが容器軸Ｏよりも前方に形成されており、角筒部１０４の上壁部１０５には、取出孔部１０５Ａがストック孔部１０３Ａよりも後方に形成されている。
スライド部材１０６の底板部１０７は、側板部２６、２７及び天板部２８よりも前方に突出してストック孔部１０３Ａを閉塞している。これにより、取出位置において計量キャップ１００を装着した容器本体２を倒立姿勢としても、ストック孔部１０３Ａからスライド孔部１０４Ａ内に内容物が流れ込むことが防止される。
蓋部材１０８は、第１実施形態における蓋部材６と同様に、天壁部３１、栓部１０９及び嵌合筒部３３を有する。
【００３７】
以上のような構成の計量キャップ１００において、上述した第１の実施形態と同様に、蓋部材１０８がキャップ本体１０１に装着された状態では、スライド部材１０６が前方にスライド移動することが規制されるので、容器本体２内の内容物が排出されない。
容器本体２内の内容物を排出する際には、蓋部材１０８をキャップ本体１０１から取り外して栓部１０９によるスライド部材１０６のスライド移動の規制を解除した後、スライド部材１０６をストック位置まで前方にスライド移動させ、容器本体２の内容物をストック室５Ａ内にストックする。
その後、スライド部材１０６の押し込みを解除すると、スライド部材１０６は、取出位置まで後方にスライド移動する。これにより、ストック室５Ａ内の内容物は、キャップ本体１０１の外部に排出される。
以上のようにして、容器本体２内に収容されている所定量の内容物を計量して取り出す。
【００３８】
以上のような構成の計量キャップ１００においても、上述した第１の実施形態と同様の作用、効果を奏するが、蓋部材６をキャップ本体４に取り付けた状態でスライド部材５が後方に突出しているので、蓋部材６を取り外した後のスライド部材５の押し込み操作が容易になる。
【００３９】
なお、本発明は上記実施形態に限定されるものではなく、本発明の趣旨を逸脱しない範囲において種々の変更を加えることができる。
例えば、栓部は、取出位置にあるスライド部材のスライド移動を規制できれば、有底矩形筒状以外の他の形状であってもよい。
スライド軸は、容器軸に交差していれば、直交していなくてもよい。
スライド部材は、スライド本体部の後端部に閉塞板部が嵌め込まれているが、閉塞板部を設けなくてもよい。また、スライド部材は、矩形筒状をなしているが、ストック室が画成されていれば、中実の柱状など、他の形状であってもよい。
スライド部材を後方へ向けて付勢する付勢バネなどの付勢部材が設けられているが、付勢部材を設けなくてもよい。
【産業上の利用可能性】
【００４０】
この発明によれば、不意に加えられた外力によって内容物が排出されることを防止できる計量キャップに関して、産業上の利用可能性が認められる。
【符号の説明】
【００４１】
１  計量キャップ、２  容器本体、３  口部、４  キャップ本体、５  スライド部材、５Ａ  ストック室、６  蓋部材、１２Ａ  スライド孔部、１３Ａ  ストック孔部、１８Ａ  取出孔部、３２  栓部、Ｏ  容器軸、Ｏ’  スライド軸
【図１】
0005771547.tif 000002
【図２】
0005771547.tif 000003
【図３】
0005771547.tif 000004
【図４】
0005771547.tif 000005
【図５】
0005771547.tif 000006
【図６】
0005771547.tif 000007
【図７】
0005771547.tif 000008
【図８】
0005771547.tif 000009